(57)【特許請求の範囲】
【請求項１】
建造物の壁面に取り付けるベースプレートと、このベースプレートに対しリンク機構を利用したリフト手段を介してフリーストップにリフト可能かつ傾斜可能に取り付けられたリフトプレートと、このリフトプレートに回転機構を介して回転可能に取り付けられたところのディスプレイ装置を取り付けるサポートプレートとから成り、前記リフト手段はリフト位置の傾斜角度を少なくとも２段階に選択できるように構成したリフト角度規制手段を有し、前記回転機構は第１の回転位置とこの第１の回転位置より９０°回転した第２の回転位置でロックできる回転ロック手段を有し、前記リフト角度規制手段は、前記リンク機構のリフトアームに作用して前記リフトアームの傾動角度を第１の規制角度に規制する制御部材と、前記サポートプレートの回動動作に連動して前記リフトアームと前記制御部材に作用して前記リフトアームの傾動角度を前記第１の規制角度より小さい第２の規制角度に規制するロックピンとを有し、前記回転ロック手段は、サポートプレートと共に回転するカムプレートと、このカムプレートに設けた前記第１の回転位置と前記第２の回転位置に各々設けた第１係止凹部及び第２係止凹部と、この第１係止凹部と第２係止凹部に係合する係止部材と、この係止部材を前記第１の回転位置と前記第２の回転位置でロックする回転ロック部材とで構成したことを特徴とする、ディスプレイ装置用の画面角度調整装置。
【請求項２】
前記ロックピンは、さらに、一方向へ摺動附勢されて前記リフトプレートに設けられると共に、前記サポートプレートの回動に伴って移動するロックプレートに取り付けられていることを特徴とする、請求項１に記載のディスプレイ装置用の画面角度調整装置。
【請求項３】
前記回転機構は、さらに、前記リフトプレートに取り付けた固定シャフトに前記サポートプレートを回転可能に軸受させて成り、このサポートプレートと前記固定シャフトとの間に、前記サポートプレートをフリクション回動させるフリクション機構を設けたものであることを特徴とする、請求項１に記載のディスプレイ装置用の画面角度調整装置。
【発明の詳細な説明】
【０００１】
【発明の属する技術分野】
この発明は、壁面に大型のディスプレイ装置を取り付け、その画面角度を調節する際に用いて好適な、ディスプレイ装置用の画面角度調整装置に関する。
【０００２】
【従来の技術】
近年、テレビ、その他のディスプレイ装置として、ＣＲＴに代えて、液晶、プラズマ、或は多数の発光ダイオードや小型放電ランプ等を画素として用いた薄型で大型のものが開発されており、これらのものは、薄型であるため、壁面に丁度額縁のように取り付けることが可能となっている。かかる場合に、取り付け後に画面角度を任意に調節できる専用の画面角度調節装置があれば、さまざまな取付場所、設置状況等に応じてディスプレイ装置の画面を見やすい角度に設置できて便利である。
【０００３】
【発明が解決しようとする課題】
そのためのさまざまな画面角度調節装置が公知であるが、ディスプレイ装置の画面を任意の傾斜角度でフリーストップさせることができたり、取付壁面との間で干渉が生じないように工夫したり、画面を縦長方向と横長方向のどちらでも取り付けることができるようにしたものは見当たらない。
【０００４】
この発明の目的は、ディスプレイ装置を横長方向と縦長方向のいずれの方向にも取り付けることができ、しかも、それぞれにおいて任意の傾斜角度で安定停止保持し、取付壁面との間で干渉が生じないように工夫した、ディスプレイ装置用の画面角度調整装置を提供せんとするにある。
【０００５】
【課題を解決するための手段】
上述した目的を達成するためにこの発明は、建造物の壁面に取り付けるベースプレートと、このベースプレートに対しリンク機構を利用したリフト手段を介してフリーストップにリフト可能かつ傾斜可能に取り付けられたリフトプレートと、このリフトプレートに回転機構を介して回転可能に取り付けられたところのディスプレイ装置を取り付けるサポートプレートとから成り、前記リフト手段はリフト位置の傾斜角度を少なくとも２段階に選択できるように構成したリフト角度規制手段を有し、前記回転機構は第１の回転位置とこの第１の回転位置より９０°回転した第２の回転位置でロックできる回転ロック手段を有し、前記リフト角度規制手段は、前記リンク機構のリフトアームに作用して前記リフトアームの傾動角度を第１の規制角度に規制する制御部材と、前記サポートプレートの回動動作に連動して前記リフトアームと前記制御部材に作用して前記リフトアームの傾動角度を前記第１の規制角度より小さい第２の規制角度に規制するロックピンとを有し、前記回転ロック手段は、サポートプレートと共に回転するカムプレートと、このカムプレートに設けた前記第１の回転位置と前記第２の回転位置に各々設けた第１係止凹部及び第２係止凹部と、この第１係止凹部と第２係止凹部に係合する係止部材と、この係止部材を前記第１の回転位置と前記第２の回転位置でロックする回転ロック部材とで構成したことを特徴とする。
前記ロックピンは、さらに一方向へ摺動附勢されて前記リフトプレートに設けられると共に、前記サポートプレートの回動に伴って移動するロックプレートに取り付けられていることを特徴とする。
前記回転機構は、さらに、前記リフトプレートに取り付けた固定シャフトに前記サポートプレートを回転可能に軸受させて成り、このサポートプレートと前記固定シャフトとの間に、前記サポートプレートをフリクション回動させるフリクション機構を設けたものであることを特徴とする。
【０００６】
【発明の実施の形態】
図面はこの発明の一実施の形態を示し、１は壁面２に取り付けられるベースプレートであり、３はこのベースプレート１に対し後述するリフト手段４，４を介してリフト可能かつ傾斜可能に取り付けられたリフトプレートである。５はこのリフトプレート３に対して回転可能に取り付けられたサポートプレートであり、このサポートプレート５に大型のディスプレイ装置６が取り付けられる構成となっている。ディスプレイ装置６としては、液晶、プラズマ、多数の発光ダイオードや小型放電ランプ等を用いたものが代表的なものであるが、このものに限定されることなくさまざまな発光体、発光手段を用いたものが含まれる。要するに薄型で壁面に取り付けることの出来るものであればこのディスプレイ装置に含まれる。
【０００７】
リフト手段４，４は、ベースプレート１とリフトプレート３の各両側部に設けられており、ベースプレート１の両側部より折り曲げて立ち上げた立上片１ａ，１ａと、この立上片１ａ，１ａの上部位置より内側に立ち上げた支持片１ｂ，１ｂとの間に軸架した第１支軸７，７によってその上端部を固定させた第１アーム８，８と、この第１アーム８，８の下端部を立上片１ａ，１ａへ固定する第２支軸９，９に揺動可能にその上端部を軸着させると共に、その下端部側をリフトプレート３の両側に設けた収納凹部３ａ，３ａに固定させた第３支軸１０，１０に回動可能に軸着させて成る第１リフトアーム１１，１１と、上述した第１支軸７，７に第１アーム８，８と同軸にしかも回動可能にその上端部を軸着させると共に、収納凹部３ａ，３ａ内を通って、その下側位置を第４支軸１２，１２に回動可能に軸着された第２リフトアーム１３，１３と、第１支軸７，７と第４支軸１２，１２との間に軸架され、第１支軸７，７には回転可能に、第４支軸１２，１２には固定されたチルトアーム１４，１４とから構成されている。リフト手段４，４には、後述するように、第２リフトとアーム１３，１３に作用してリフトプレート３の傾動角度を第１の規制角度に規制するために第４支軸１２，１２に軸支された制御部材５３，５３と、リフトプレートの傾動角度を第２の規制角度に規制するために、サポートプレート５に一方向へ摺動附勢されて設けられたロックプレート４９，４９に取り付けられたロックピン５２，５２・５２，５２とからなるリフト角度規制手段４８，４８が設置されている。
【０００８】
第１リフトアーム１１，１１と第２リフトアーム１３，１３をそれぞれリフトプレート３に対して軸支する第３支軸１０，１０と第４支軸１２，１２には、第１チルト機構１５，１５と第２チルト機構１６，１６が設けられ、第１リフトアーム１１，１１と第２リフトアーム１３，１３が任意の回転位置で安定停止され、リフトプレート３が任意のリフト位置で安定停止できるように構成されている。
【０００９】
この第１、第２チルト機構１５，１５・１６，１６は、各々フリクショントルクを生じさせる部分が第１リフトアーム１１，１１の一方の側板１１ａ，１１ａか、収納凹部３ａ，３ａの一方の側板３ｂ，３ｂに固定させたフリクションプレート１７，１７かという点が相違するのみであるが、まず、図４における第１チルト機構１５，１５の右側のものから説明する。
【００１０】
この第１チルト機構１５は、とくに図８に示したように、リフトプレート３の収納凹部３ａの側板３ｂ，３ｂの左側のものに非回転に固定され、取付ナット１８で固着された第３支軸１０が、第１リフトアーム１１の両側板１１ａ，１１ａを回転可能に支持する側に設けられており、両側板１１ａ，１１ａの外側のものを、大径部１０ａとフリクションワッシャー２０で挟み、このフリクションワッシャー２０にスプリングワッシャー２１と押え用平ワッシャー２２を順次当接させ、第３支軸１０に取り付けた締付ナット１０ｂを締め付けることにより、大径部１０ａとフリクションワッシャー２０との間に挟んだ第１リフトアーム１１の一方の側板１１ａに回動時のフリクショントルクを発生させるようにしたものである。尚、図４における左側の第１チルト機構１５は、上述した右側の第１チルト機構１５と構成が同じであるので、詳しい説明を省略する。
【００１１】
第２チルト機構１６も第１チルト機構１５と同じ理由によって、図４における右側のもののみを説明する。とくに図９に示したように、チルトアーム１４に一端部を固定し、収納凹部３ａの両側板３ｂ，３ｂと第２リフトアーム１３の両側板１３ａ，１３ａを回動可能に挿通させた第４支軸１２の大径部１２ａと、フリクションワッシャー２４で、収納凹部３ａの側板３ｂ，３ｂの一方のものとこの一方の側板３ｂに固定したフリクションプレート２５を挟み、フリクションワッシャー２４にスプリングワッシャー２３と押え用平ワッシャー２６を順次当接させ、第４支軸１２に取り付けた締付ナット１２ｂを締め付けることにより、大径部１２ａとフリクションワッシャー２４との間に挟んだフリクションプレート２５と側板３ｂとの間に第２リフトアーム１３の回動時にフリクショントルクを発生させるようにしたものである。
【００１２】
尚、各チルト機構１５，１６の構成は、上記のものに限定されない。例えば大径部１０ａと第１リフトアーム１１の側板１１ａとの間、及び大径部１２ａと側板３ｂとの間に、フリクションワッシャーやスプリングワッシャーを一方のみ、或は組み合わせて設けても良い。また、フリクションワッシャー２４と第２リフトアーム１３の側板１３ａとの間、及びフリクションワッシャー２４とフリクションプレート２５との間にさらにフリクションワッシャーを設けることは任意である。さらに、各フリクションワッシャーとスプリングワッシャーの間に、平ワッシャーを介在させても良い。スプリングワッシャーは、これを複数枚としたり、ウェーブワッシャーの単数枚或いは複数枚を用いることができる。
【００１３】
とくに図４と図１１に示したように、２７はリフト手段４，４のロック手段であり、ベースプレート１より切り起こしたロックプレート１ｃ，１ｃと第２リフトアーム１３，１３にホルダー２８，２８を介して取り付けられた係止ローラ２９，２９より構成されている。
【００１４】
次に、サポートプレート５の回転機構３０について説明する。
【００１５】
とくに図４と図７と図１０に示したように、リフトプレート３の略中心部に、取付ナット３１を介して非回転に固着された固定シャフト３２には、サポートプレート５がフリクション機構３３を介して所定のフリクショントルクが加えられた時にのみ回転するように取り付けられており、このサポートプレート５にカムプレート３４が取付リング部材３５を介して固定されている。３６はリフトプレート３に取り付けられた軸受リング部材であり、取付リング部材３５の内周に接している。
この回転機構３０のフリクション機構３３は、とくに図４と図７と図１１に示したように、サポートプレート５を固定シャフト３２の大径部３２ａと固定シャフト３２に取り付けたフリクションワッシャー３８で挟む構成であり、フリクションワッシャー３８にさらにスプリングワッシャー３９、押え用平ワッシャー４０の順に重ね、締付ナット４１で締め付けることにより、大径部３２ａとフリクションワッシャー３８をサポートプレート５に圧接させ、サポートプレート５に所定の回転トルクを加えられた時にのみ該サポートプレート５が回転する構成となっている。図１０では固定シャフト３２の大径部３２ａとサポートプレート５との間にフリクションワッシャー３７を介在させてあるが、このように構成しても良い。とくに図４に示したように、回転ロック手段Ｒのカムプレート３４はその外周の９０°間隔の回転位置に第１係止凹部３４ａと第２係止凹部３４ｂを有し、この各第１、２係止凹部３４ａ，３４ｂと係合すべく係止ローラ４２がその自由端に取り付けた係止部材４３が引張コイルスプリング４４で水平方向へ回動を附勢されつつリフトプレート３へ取り付けられている。４５は係止部材４３の係止ローラ４２がカムプレート３４の第１、第２係止凹部３４ａ，３４ｂに係合した回転位置をキープする回転ロック部材であり、トーションスプリング４６により、上下方向へ回動を附勢されている。このように、サポートプレートと共に回転するカムプレートと、このカムプレートに設けた前記第１の回転位置と前記第２の回転位置に各々設けた第１係止凹部及び第２係止凹部と、この第１係止凹部と第２係止凹部に係合する係止部材と、この係止部材を第１の回転位置と第２の回転位置でロックする回転ロック部材とで回転ロック手段Ｒを構成している。リフトプレート３には、さらに軸支位置を支点とする弧状のガイド溝３ｃが設けられており、サポートプレート５より突設したストッパーピン４７の先端が嵌入している。
【００１６】
次に、とくに図４に示したように、横長のディスプレイ装置６を縦長に用いる場合のリフトプレート３のリフト角度規制手段４８，４８について説明する。リフトプレート３には左右互い違いの方向へ摺動するように一対のロックプレート４９，４９が取り付けられており、この各ロックプレート４９，４９は引張コイルスプリング５０，５０によって、互いに左右に離れる方向へ摺動附勢されているが、この動きはストッパーピン４７がロックプレート４９，４９の一方のものより突設した係止片４９ａと当接することによってロックされている。そして、連結プレート５１により連結された一方のロックプレート４９を動かすと、他方のロックプレート４９も同時に動くように構成されている。この各ロックプレート４９，４９には、各一対のロックピン５２，５２が取り付けられており、とくに図１１に示したように、ロック時にこのロックピン５２，５２がフリクションプレート２５，２５に設けた透孔と収納凹部３ａ，３ａに設けた透孔を貫通して第２リフトアーム１３，１３と第４支軸１２，１２に軸着した制御部材５３，５３に設けた係合孔５３ａ及び切欠５３ｂ内に嵌入するようになっている。
【００１７】
したがって、とくに図４と図１１に示したように、ロック手段２７，２７の係止ローラ２９，２９とベースプレート１側のロックプレート１ｃ，１ｃとが係合している状態にあっては、リフトプレート３はベースプレート１と略平行な位置にロックされている。他方、サポートプレート５に取り付けられたディスプレイ装置６は、図４に示したように、回転ロック手段Ｒのカムプレート３４の第１係止凹部３４ａへ係止部材４３の係止ローラ４２が落ち込んでいる状態の時には横長の取付状態となっており、この状態は回転ロック部材４５が係止部材４３の揺動をロックさせていることにより安定した取付状態を保っている。
【００１８】
以上の状態からディスプレイ装置６に手をかけて強く手前側へ引くと、ロック手段２７，２７の係止ローラ２９，２９とロックプレート１ｃ，１ｃとの間の係合が外れることから、リフトプレート３はリンク機構を利用したリフト手段４，４によって、若干持ち上がりつつ傾動することになり、図３に示したように、この実施の形態のものでは２０°の角度まで傾動することになる。その間第１、第２チルト機構１５，１５・１６，１６によって、リフトプレート３は任意の位置で停止することができるので、ディスプレイ装置６を任意の傾斜角度で安定停止保持させることが可能である。リフトプレート３が２０°の第１の規制角度まで開かれると、リフト角度規制手段４８，４８を構成する制御部材５３がストッパーとなってそれ以上の傾動を阻止する。
【００１９】
このことにより、とくに図３に示したように、ディスプレイ装置の下端部が壁面２に接触するのを防止することができる。
【００２０】
次に、ディスプレイ装置の設置状態を横長状態から９０°回転させて縦長状態にする場合について説明する。
【００２１】
この場合には、係止部材４３をロックしている回転ロック部材４５を動かして係止部材４３が自由に揺動できるようにした後、ディスプレイ装置６を手で拘えて左方向へ捩じると、係止ローラ４２がカムプレート３４の第１係止凹部３４ａより脱出し、サポートプレート５が左方向へ回転して、このサポートプレート５に取り付けたディスプレイ装置６の回転が可能となる。ディスプレイ装置６を９０°回転させると、回転ロック手段Ｒの係止部材４３の係止ローラ４２がカムプレート３４の第２係止凹部３４ｂへ落ち込むことによって停止され、それ以上回転することはできない。そこで、回転ロック部材４５を元に戻すと、係止部材４３はカムプレート３４をその回転位置でロックすることになる。このようにしてディスプレイ装置６の９０°回転は可能となる。この状態を示したのが図１６である。
【００２２】
次に、ディスプレイ装置６を縦長とした場合には、リフトプレート３が２０°まで傾動できるとすると、ディスプレイ装置６の下端部が壁面２に当たって互いに干渉状態が生じてしまうことから、この場合にはリフトプレート３の傾動角度を規制する必要がある。そのためにこの発明はリフト角度規制手段４８を設けてある。
【００２３】
先に説明したように、サポートプレート５が回転すると、ストッパーピン４７も共に回転し、ロックプレート４９の係止片４９ａに対する当接を解くので、各ロックプレート４９は引張コイルスプリング５０，５０の牽引力によって水平摺動し、ロックピン５２，５２・５２，５２がリフトプレート３の収納凹部３ａ，３ａと第２リフトアーム１３，１３と、制御部材５３，５３の各々の側板を貫通してロックする。この際に、図１１に示したように、図４において上側に位置するロックピン５２，５２が、第２リフトアーム１３，１３と、制御部材５３，５３を貫通する部分には、図１１に示したように長孔５３ｂが設けられている。このことから、制御部材５３，５３の揺動が阻止され、第２リフトアーム１３，１３の若干の揺動が可能となることから、リフトプレート３は実施の形態のものでは約５°の第２の規制角度の傾動が可能となる。そして、この角度だけディスプレイ装置６は壁面２に対し傾斜させることができる。この状態を示したものが図１７である。
【００２４】
この状態は、サポートプレート５を元の位置に戻す時に、共に回動するストッパーピン４７がロックプレート４９，４９の一方の係止片４９ａを押してロックプレート４９，４９を後退させて元位置に戻すことによって解除される。
【００２５】
【発明の効果】
この発明は以上のように構成したので、次のような効果を奏し得る。
【００２６】
請求項１のように構成すると、横長のディスプレイ装置を横長のままか、或は縦長にして保持することができた上で、横長の場合には、制御部材がリンク機構のリフトアームに作用してディスプレイ装置の傾斜角度を第１の規制角度に規制された傾斜角度に該ディスプレイ装置を傾斜させることができる上に、縦長の場合には、ロックピンがリンク機構のリフトアームと制御部材に作用してディスプレイ装置の傾斜角度を前記第１の規制角度より小さい第２の規制角度に規制する傾斜角度に視制し、該ディスプレイ装置の下端部が壁面に接触しないように傾斜させることができるものであることから、とくに大型画面の平面型ディスプレイ装置の設置位置や高さの自由度が増大することができる上に、回転機構によりディスプレイ装置を回転させてカムプレートと係止部材とロックプレートにより、当該ディスプレイ装置を横長の状態と縦長の状態で安定的に停止保持させておくことができるという効果を奏し得る。
【００２７】
請求項２のように構成すると、請求項１と同じ効果を奏した上で、簡単な構成で、フリクション機構によりディスプレイ装置を横長にしたり縦長にしたりする際に、回転させるに当たりその回転動作をゆっくりとしたものにして、ディスプレイ装置や画面角度調整装置に衝撃を与えることを防止できるという効果を奏し得る。
【００２８】
請求項３のように構成すると、簡単な構成で、請求項１と同じ効果を奏した上で、ディスプレイ装置の回転操作と共に回転するサポートプレートの動作に連動して摺動するロックプレートによって、ロックピンを摺動させてディスプレイ装置を第２の規制角度の傾斜角度にディスプレイ装置を傾動させることができるという効果を奏し得る。
【図面の簡単な説明】
【図１】  この発明に係るディスプレイ装置用の画面角度調整装置にディスプレイ装置を横長に取り付ける場合の正面図である。
【図２】  図１の状態を側面から見た側面図である。
【図３】  図２の状態からディスプレイ装置を２０°傾斜させた状態の側面図である。
【図４】  この発明に係るディスプレイ装置用の画面角度調整装置の正面図である。
【図５】  図４の右側面図である。
【図６】  図５の状態からリフトプレートをリフトさせ２０°傾斜させた状態の側面図である。
【図７】  図４のＡ−Ａ線断面図である。
【図８】  図４のＢ−Ｂ線断面図である。
【図９】  図４のＣ−Ｃ線断面図である。
【図１０】  図４のＤ−Ｄ線断面図である。
【図１１】  図４のＥ−Ｅ線断面図である。
【図１２】  図４のＦ−Ｆ線断面図である。
【図１３】  図１の状態からサポートプレートを９０°回転させた状態の正面図である。
【図１４】  図１３の側面図である。
【図１５】  図１４の状態からディスプレイ装置を５°傾斜させた状態の側面図である。
【図１６】  図４の状態からサポートプレートを９０°回転させた状態の正面図である。
【図１７】  図１６の状態からリフトプレートを５°リフトさせた状態の右側面図である。
【符号の説明】
１  ベースプレート
２  壁面
３  リフトプレート
４  リフト手段
５  サポートプレート
６  ディスプレイ装置
１１  第１リフトアーム
１３  第２リフトアーム
１５  第１チルト機構
１６  第２チルト機構
２７  ロック手段
３０  回転機構
３２  固定シャフト
３３  フリクション機構
Ｒ  回転ロック手段
３４  カムプレート
４３  係止部材
４５  回転ロック部材
４７  ストッパーピン
４８  リフト角度規制手段
４９  ロック部材
５０  引張コイルスプリング
５２  ロックピン
５３  制御部材
【図１】
0003702132.tif 000002
【図２】
0003702132.tif 000003
【図３】
0003702132.tif 000004
【図４】
0003702132.tif 000005
【図５】
0003702132.tif 000006
【図６】
0003702132.tif 000007
【図７】
0003702132.tif 000008
【図８】
0003702132.tif 000009
【図９】
0003702132.tif 000010
【図１０】
0003702132.tif 000011
【図１１】
0003702132.tif 000012
【図１２】
0003702132.tif 000013
【図１３】
0003702132.tif 000014
【図１４】
0003702132.tif 000015
【図１５】
0003702132.tif 000016
【図１６】
0003702132.tif 000017
【図１７】
0003702132.tif 000018